(57)【要約】  【課題】  法面緑地や管理緑地など除草を行うべき所望の場所における雑草の成長を抑制し、法面などを安定に維持することが可能で、維持管理も容易で危険作業を回避することもでき、除草剤などを使用しないため環境負荷を低減させることのできる雑草抑制方法を提供する。  【解決手段】  除草を行うべき所望の場所における雑草の成長を抑制する雑草抑制方法であって、表土に対する被覆速度が大きい先行植物を植栽した後あるいは植栽と同時に、表土に対して安定被覆を形成しうる安定植物を、前記先行植物と混在させて植栽または播種することを特徴とする雑草抑制方法。【選択図】  図２
2005073625.tif 000002
【特許請求の範囲】
【請求項１】
除草を行うべき所望の場所における雑草の成長を抑制する雑草抑制方法であって、表土に対する被覆速度が大きい先行植物を植栽した後あるいは植栽と同時に、表土に対して安定被覆を形成しうる安定植物を、前記先行植物と混在させて植栽または播種することを特徴とする雑草抑制方法。
【請求項２】
前記安定植物が、前記先行植物から分泌・放出されるアレロパシー物質の阻害対象外の植物である請求項１に記載の雑草抑制方法。
【請求項３】
前記先行植物が、プラントボックス法によるアレロパシー活性が５０％以上である請求項１または２に記載の雑草抑制方法。
【請求項４】
前記先行植物が、ソバ、コンフリー、ヘアリーベッチ、アークトセカ、ポテンティラ、シバ類、宿根バーベナ、マツバギクおよびアジュガから選ばれる少なくとも一種の植物である請求項１〜３のいずれかに記載の雑草抑制方法。
【請求項５】
前記安定植物が、シバ類、シバザクラ、コトネアスター、キチジョウソウ、リュウノヒゲ、ヒガンバナ、オキザリス、ササ類およびツツジ類から選ばれる少なくとも一種の植物である請求項１〜４のいずれかに記載の雑草抑制方法。
【請求項６】
前記先行植物および安定植物を植栽する培地に砂あるいは砂礫を併用する請求項１〜５のいずれかに記載の雑草抑制方法。
【発明の詳細な説明】
【技術分野】
【０００１】
本発明は、水力発電所鉄管路など法面緑地や火力発電所管理緑地など、除草を行うべき所望の場所における雑草の成長を抑制する雑草抑制方法に関する。
【背景技術】
【０００２】
水力発電所管路など法面緑地や火力発電所管理緑地などは、１年に２〜３回機械除草を実施している。特に法面緑地の除草は危険作業を伴うためコスト高となるので、極力省力化が望まれているが、設備管理上および周辺民家への雑草種子の飛散防止といった観点から、除草作業は実施せざるを得ないのが現状である
【０００３】
法面の雑草対策として、山羊の放牧による雑草抑制や、生長抑制剤の散布による雑草抑制が検討されているが、山羊の放牧は効果があるものの法面が崩れるという欠点や維持管理費のコストが高いという問題がある。生長抑制剤の散布は、十分な効果を得るためには月数回の散布が必要で、環境負荷の低減という観点からは望ましくない。
【０００４】
農業分野では、マルチングシートを用いた雑草防除が一般的であるが、広範囲な緑地に対してマルチングを適用するのは極めて困難である。一方、アレロパシー物質を利用して雑草の生育を抑制する方法も提案されている。例えば、特開平６−１２１６１５号公報には、シバ生に生える雑草に対してアレロパシー作用を有する植物ハルガヤをシバ生に混在させて雑草の生育を制御する方法（特許文献１参照）、また特開平６−１２８１０９号公報には、ハルガヤ中に含まれるクマリンやハルガヤの生体を粉砕した粉体をシバ生に散布し、雑草の生育を抑制する方法（特許文献２参照）などが報告されている。
【０００５】
【特許文献１】特開平６−１２１６１５号公報
【特許文献２】特開平６−１２８１０９号公報
【発明の開示】
【発明が解決しようとする課題】
【０００６】
本発明は、上記従来の問題点に鑑みてなされたものであり、法面緑地や管理緑地など除草を行うべき所望の場所における雑草の成長を抑制し、法面などを安定に維持することが可能で、維持管理も容易で危険作業を回避することもでき、除草剤などを使用しないため環境負荷を低減させることのできる雑草抑制方法を提供することを目的とする。
【課題を解決するための手段】
【０００７】
前記目的を達成するため鋭意検討の結果、雑草抑制力の強い植物、例えばアレロパシー作用を有する植物を植栽し、これらによって土地表土を早期に被覆することにより雑草抑制が可能となり、これらの早期被覆植物に数年間かけて安定被覆を形成しうる安定被覆植物を混在して植栽することにより、雑草の量が飛躍的に減少することを見出し、本発明を完成するに至った。
【０００８】
すなわち、本発明は、除草を行うべき所望の場所における雑草の成長を抑制する雑草抑制方法であって、表土に対する被覆速度が大きい先行植物を植栽した後あるいは植栽と同時に、表土に対して安定被覆を形成しうる安定植物を、前記先行植物と混在させて植栽または播種することを特徴とする雑草抑制方法を提供するものである。
【０００９】
本発明の雑草抑制方法においては、前記安定植物が、前記先行植物から分泌・放出されるアレロパシー物質の阻害対象外の植物であることが好ましい。
【００１０】
また、本発明の雑草抑制方法においては、前記先行植物がアレロパシー物質を放出する場合には、前記先行植物のプラントボックス法によるアレロパシー活性が５０％以上であることが好ましい。
【００１１】
また、本発明の雑草抑制方法においては、前記先行植物が、ソバ、コンフリー、ヘアリーベッチ、アークトセカ、ポテンティラ、シバ類、宿根バーベナ、マツバギクおよびアジュガから選ばれる少なくとも一種の植物であることが好ましく、前記安定植物が、シバ類、シバザクラ、コトネアスター、キチジョウソウ、リュウノヒゲ、ヒガンバナ、オキザリス、ササ類およびツツジ類から選ばれる少なくとも一種の植物であることが好ましい。
【００１２】
また、本発明の雑草抑制方法においては、雑草抑制効果を向上させるために、前記先行植物および安定植物を植栽する培地に砂あるいは砂礫を併用することが好ましい。
【発明の効果】
【００１３】
以上説明した通り、本発明の雑草抑制方法によれば、法面緑地や管理緑地など除草を行うべき所望の場所における雑草の成長を抑制することができ、法面などを安定に維持することが可能で、一旦植物被覆が完成されたならば数年間はメンテナンス作業が不要なため維持管理が容易となる。また、それ以降も年１回ないし数年に１回程度の粗刈あるいは追加播種程度の管理で被覆を維持することが可能となる。よって、雑草防除に要する大幅なコストダウンが図られ、危険作業を回避することもできる。さらに、除草剤などを定常的に使用しないため環境負荷を低減させることができる。
【発明を実施するための最良の形態】
【００１４】
本発明による雑草抑制方法は、除草を行うべき所望の場所における雑草の成長を抑制する雑草抑制方法であって、表土に対する被覆速度が大きい先行植物を植栽した後あるいは植栽と同時に、前記先行植物がアレロパシー物質を放出する場合には該アレロパシー物質に対する耐性を有し、表土に対して安定被覆を形成しうる安定植物を、前記先行植物と混在させて植栽するものである。又は、安定植物を前記先行植物と混在させて播種する。
【００１５】
本発明における先行植物は、初期成長（植栽数か月から１年）が早く表土に対する被覆速度が大きいもので、６０ｃｍ×２０ｃｍ×２０ｃｍのプランターに２００粒、もしくは９ｃｍポット苗４株を播種した時に、１年以内（好ましくは１００日以内）に表土に対する被覆率が概ね８０％以上になり得る植物が好適である。ここで、「被覆率」は、植栽された植物を培地と直角方向から観察したときに植物が地面を被覆している割合であり、目視観察や画像解析で測定可能である。
【００１６】
先行植物は、その多くは１年草、２年草、もしくは２〜３年経つと株が衰退する。１年草、２年草としては、例えばソバ、ヘアリーベッチ、ダイカンドラ、ポーチュラカなどが挙げられ、２〜３年で株が衰退する植物としては、例えばアークトセカ、バーズフットトレフォイル、アジュガなどが挙げられ、数年間は株が衰退しない植物としては、例えばコンフリー、シバ類、宿根バーベナ、ポテンティラ、イブキジャコウソウ、クリーピングタイム、マツバギク、クローバー、イワダレソウなどが挙げられる。なかでも、特に好ましいのは、ソバ、コンフリー、ヘアリーベッチ、アークトセカ、ポテンティラ、シバ類、宿根バーベナ、マツバギクおよびアジュガである。
【００１７】
上記の先行植物は、例えばアークトセカなどアレロパシー物質を放出しないものであっても、あるいはアレロパシー物質を放出する植物であっても、被覆率が高いものであればよい。アレロパシー物質を放出する植物を植栽する場合は、プラントボックス法によるアレロパシー活性（レタス幼根の伸長阻害率）が５０％以上のものが好ましい。より好ましくは７０〜８０％以上のものがよい。プラントボックス法；藤井義晴、渋谷知子,1991,雑草研究,36(別),152-153、藤井義晴、渋谷知子,1992,雑草研究,37(別),156-157参照。
【００１８】
アレロパシーの試験法としては、いくつかが知られている。圃場や、ガラス室でアレロパシーを識別・証明する手段としては、付加栽培法、置換栽培法、階段栽培法、連続根浸出液補集法、無影日長栽培法が知られているが、これらの方法は光や養分等の他の競争との識別が難しく、多大な労力が必要となる。実験室規模での生物検定法としては、植物体抽出液を用いた発芽・生育試験、サンドイッチ法（葉からの溶脱を検出）、プラントボックス法（根からの滲出物質を検出）、ディッシュパック法（揮発性物質を検出）がある。なかでもプラントボックス法は、実験室規模での検定が容易で雑草の成長抑制との相関がよいことより先行植物の選択手段として好適である。
【００１９】
各植物のアレロパシー作用活性物質は現在各研究者によって、同定が進められているところであるが、既に報告のある物としては以下が挙げられる。ヘアリーベッチの場合はcyanamide、ソバの場合はイソキノリンアルカロイド（fagomine）、フラバノール（rutin）、ピロガロール(gallic acid)、ヒガンバナの場合はlycorine、などである。
【００２０】
ここで、ソバのアレロパシー作用物質について説明する。ソバには普通ソバ（普通種）、ダッタンソバ（ダッタン種）、宿根ソバ（宿根種）の三種類あるとされている。いずれも強い雑草抑制効果を示す。しかしながら、交雑性が強いので、ソバの産地ではその地方で栽培されている物を使うのが適している。特にダッタンソバ、宿根ソバなどをソバの産地に適用した場合、交雑により在来の栽培ソバに着色したり、味が変わるなどの影響を及ぼす恐れがあるので、注意が必要である。普通ソバ、ダッタンソバは一年草であるが、宿根ソバは多年草であり、雑草抑制管理の省力化には適しているが、一方宿根ソバ自体が雑草化する恐れもあるため、宿根ソバは雑草化する恐れのない場所に限って用いるのがよい。種子の落下の他、地下茎でも増えるので、たとえば敷地の境界がコンクリで区切られた所などは、適用が可能である。なおソバの根は地表近くに広がる形を取るため、境界の区切りは地下３０ｃｍ〜１ｍ程度あれば十分と考えられる。さらに、急斜面の雑草抑制に関しては、ソバのみでの適用は法面維持ができなくなる恐れがあるため、ソバのみでの雑草抑制期間は最小限にとどめ、他の植物と併用することが望ましい。
【００２１】
コンフリーは、特に寒冷地むきで、最低地温が約−２５度でも耐えられる。ヘアリーベッチは、最低地温が−２０度まで可能である。ただし、暖地の方が雑草抑制効果は高い。アークトセカは、たんぽぽ状の葉が地表面を覆うように生え、生育は旺盛。暖地では２〜３年間、被覆を維持することが可能で、それ以降は株の衰退が見られる場合がある。寒冷地では越冬できないため、植栽初期の先行植物としての適応がよい。シバ類は、暖地ではセントオーガスチングラス、ノシバ、ジューングラス、朝萌などが適している。寒冷地ではセンチピードグラス、特に本種を寒冷地向きに品種改良したティフブレアが適している。マツバギクは暖地向きで、最低気温−２０度以下の寒冷地では越冬できない。アジュガは耐寒性、耐暑性が強く日本全国に適用可能であるが、乾燥には弱いため乾燥地には向かない。
【００２２】
本発明における安定被覆植物は、被覆速度が速い先行植物を植栽した後あるいは植栽と同時に植栽する。安定植物は、初期成長が早いものや遅いものがあるが、概して遅く、植栽後数年間（３〜５年）で安定被覆を形成しうる植物で、一度被覆を形成すると安定して被覆を維持することができるため雑草抑制効果が高い。先行植物がアレロパシー物質を放出する場合には、該アレロパシー物質に対する耐性を有することが望ましく、安定植物自身はアレロパシー物質を放出するがその活性は一般に低いものが使用される。
【００２３】
上記の安定植物としては、初期成長が早いものとして、例えばコンフリー、ポテンティラなどが挙げられ、初期成長がやや早いものとして、例えばシバザクラ、シバ類、キチジョウソウ、シラン、ヘデラヘリックス、オキザリス・デッペイ、スミレ、スズランなどが挙げられ、初期成長が遅いものとして、例えばリュウノヒゲ、ヒガンバナ、コトネアスター類、日本スイセン、ツツジ類などが挙げられる。シバ類としては、センチピードグラス（原種）、センチピードグラス（ティフブレア）、セントオーガスチングラスなどが挙げられる。なかでも、特に好ましいのは、シバ類、シバザクラ、コトネアスター類、キチジョウソウ、リュウノヒゲ、ヒガンバナ、オキザリス、ササ類およびツツジ類である。
【００２４】
先行植物および安定植物を植栽する培地には、雑草抑制効果を向上させるために砂あるいは砂礫を併用するのがよい。先行植物によって表土が被覆されることで雑草抑制効果が発現するが、培地に砂あるいは砂礫を併用する場合は、元の地表面の土壌に砂あるいは砂礫を添加混合するか、好ましくは元の地表面の土壌の上に砂地層あるいは砂礫層を形成するのがよい。砂あるいは砂礫による地表面の遮光効果に加えて、砂や砂礫は一般の土壌と比較してアレロパシー物質を吸着しないためにアレロパシー効果が発現し易くなることによって、雑草抑制効果が一層向上するものと考えられる。
【００２５】
砂あるいは砂礫は平地であれば１ｍ程度まで敷設することが可能であるが、通常は０．５ｃｍ〜６０ｃｍ程度、好ましくは１ｃｍ〜１０ｃｍ程度の厚みに敷設することが望ましい。砂や砂礫としては、アレロパシー物質に対する吸着性の低いものであれば、土砂、流砂などの天然砂に限らず、一般の土壌と比較して吸着性の低いもの、例えば、人工砂（ガラス由来、鉱滓由来、石炭灰由来、石油製品由来など）など砂に類似するものであってもよい。砂あるいは砂礫を敷設する場合は、植物の種類や植栽環境などに応じて、種類や粒度などを選択すればよい。粒度は、例えば１５ｍｍ以下が好ましく、より好ましくは５ｍｍ以下がよい。例えば、花崗岩質の砂などは好ましい例として挙げられる。
【実施例】
【００２６】
以下、実施例及び比較例を用いて本発明を更に具体的に説明するが、本発明は以下の実施例のみに限定されるものではない。
【００２７】
（参考例１）
基本区における雑草抑制効果の測定は、以下のように実施した。植栽試験地は、長野県・小諸市（標高は６６０ｍ）の平坦地とした。植栽前に一回に限り、除草剤による防除を実施した。１ｍ２の試験区を１ｍ幅の通路で仕切り、１試験について１〜４反復（区画）を基本とした。植物は表１の通りとした。なお、シバザクラ、日本スイセン、ヒガンバナについては、成育が緩慢で被覆が完成するまでに時間がかかるので、ティフブレアを下草として混植した。各区の播種量や移植本数は数年後の被覆完成時の雑草抑制度を模擬するために過密気味とし、６４株もしくは種子１６〜２０ｇ／ｍ２とした。春に植栽を実施し、植栽後、３６日，４７日，９０日，１３９日目に雑草刈り取り調査を行った。各区の刈り取り調査法は１区画（１ｍ×１ｍ）の中に発生した全雑草の地上部のみを、鎌にて手刈りし、紙袋（大昭和サミットバッグ２５号）に入れ、現場で生体重量を測定し、これらをさらに、６０℃で通風乾燥して乾燥重量を測定した。調査前日に通路の草刈りを行った。試験期間を通しての雑草の合計乾燥重量を図１に示す。
【００２８】
（対照例１）
参考例１に対して３反復（区画）の対照区をもうけ、参考例１と同様の方法にて雑草の合計乾燥重量を測定した。結果を図１に示す。
【００２９】
【表１】
2005073625.tif 000003
【００３０】
（実施例１）
マルチング併用による雑草抑制効果の測定は以下のように実施した。植栽試験地、試験区の設置方法は、参考例１と同様とした。１試験について３〜４反復（区画）を基本とした。本試験においてはアレロパシーを増強する資材として基本区（無処理）の他に、流木チップや粒径５ｍｍ以下の高瀬砂（性状：表２参照）を３ｃｍ厚に敷均した区をそれぞれ併設した（流木チップ区、高瀬砂区）。植物は、表３の設計で、センチピードグラスの改良種で−２３度まで耐寒性があるといわれる品種‘ティフブレア’、ティフブレアと宿根バーベナの混植区、および先行植物であり、強いアレロパシーが報告されているヘアリーベッチと、アレロパシーの報告があり、初期成育が旺盛で約２ヶ月で収穫できるソバの混植区及びリレークロップ方式で追播（ヘアリーベッチ植栽約６０日後にソバを追播）する区を設けた。
【００３１】
混合植栽区では種子を主体として各種子同量を散布した（各１６〜２０ｇ／ｍ２）。植栽、及び雑草刈り取り調査の実施は参考例１と同様に実施した。経時による雑草乾燥重量を図２に示す。図２において横棒は標準偏差の範囲を示す。
【００３２】
また、表４には時期別の雑草バイオマスの平均値を示した。
【００３３】
【表２】
2005073625.tif 000004
【００３４】
【表３】
2005073625.tif 000005
【００３５】
（比較例１）
実施例１に対して、基本区、高瀬砂区、チップ区にそれぞれ３反復（区画）の対照区をもうけ、実施例１と同様の方法にて雑草量を測定した。結果を図２および表４に示す。
【００３６】
【表４】
2005073625.tif 000006
【００３７】
図２の結果より、ヘアリーベッチを植栽した後にソバを播種することにより、植栽しない場合（対照区）と比べて明らかな雑草抑制効果が認められた。また、高瀬砂併用区や流木チップ併用区では、併用しない基本区画と比べて顕著な雑草抑制効果が認められた。特に砂との併用区では約９０％の雑草抑制効果が認められた。
【００３８】
次に、実施例１および比較例１で得られた雑草発生量の平均値の差の検定を、最小有意差法（５％検定）で行った。その結果を表５および表６に示す。なお、最小有意差法の検定結果は、アルファベットの順がデータ（平均値）の値の小さい順であり、アルファベットが異なる場合、その区の間には「危険率５％未満で有意な差が認められた」ことを指している。
【００３９】
【表５】
2005073625.tif 000007
【００４０】
【表６】
2005073625.tif 000008
【００４１】
表５および表６から明らかなように、最小有意差法で検定したところ、高瀬砂併用区には明らかな雑草抑制効果が有り、また、ヘアリーベッチとソバの区画も明らかな雑草抑制効果が有った。
【図面の簡単な説明】
【００４２】
【図１】基本区における累積雑草乾燥重量を示すグラフ図である。
【図２】マルチ資材併用試験区における経時的雑草乾燥重量を示すグラフ図である。
【図１】
2005073625.tif 000009
【図２】
2005073625.tif 000010